【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクから信号を検出する手段と、検出された信号より同期信号を検出する手段と、変調則に従った復調手段と、復調されたデータを一時的に蓄える記憶手段と、該一時的に蓄えられたデータに対し誤り訂正する手段と、誤り訂正されたデータを出力する手段を有するディスク再生装置であって、
さらに、検出された同期信号からブロック先頭を検出する手段と、ブロック先頭検出手段から誤り訂正開始信号を生成する手段を備えたことを特徴とするディスク再生装置。
【請求項２】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからの信号を変調則に従って復調する復調手段と、該復調データに対し誤り訂正する誤り訂正手段とを少なくとも有するディスク再生装置であって、
さらに、前記復調手段からブロックの先頭を検出したことを示す信号によりインクリメントするカウンタと、前記誤り訂正手段から誤り訂正が終了したことを示す信号によりインクリメントするカウンタと、該両カウンタの値を比較する手段を有することを特徴とするディスク再生装置。
【請求項３】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクから信号を検出するピックアップと、検出された信号を変調則に従って復調し、該復調データを記憶手段に一時的に記憶し、該一時的に記憶されたデータに対し誤り訂正を行うディスク再生方法であって、
定常的に設定可能な最大の線速度に対応する１ブロック分のデータの再生時間を再生時間１とし、所定設定値までモーターの回転速度を制定する間の一時的に発生する最大の線速度に対応した１ブロック分のデータの再生時間を再生時間２としたとき、再生時間１＞誤り訂正時間の場合、ｋ（ｋ：自然数）ブロック復調データを記憶手段へ書き込んだ後、復調を一時停止する処理と、ピックアップを移動して中断した箇所より再び再生する処理を繰り返し、誤り訂正にかかる時間を、再生時間２＞誤り訂正時間＞再生時間１の関係になるように設定したことを特徴とするディスク再生方法。
【請求項４】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからの信号を変調則に従って復調し、該復調データに対し誤り訂正を行うディスク再生方法であって、
前記復調データより、同期信号を検出し、そこからブロックを構成する単位であるセクタ内での当フレームの位置を求め、セクタの先頭を検出すると、そのアドレスよりブロックの先頭かを判定し、ブロックの先頭を検出すると誤り訂正開始信号を生成することを特徴とするディスク再生方法。
【請求項５】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからの信号を変調則に従って復調する復調手段と、該復調データを一時的に記憶する記憶手段と、該一時的に記憶されたデータに対し誤り訂正を行う誤り訂正手段を少なくとも有するディスク再生装置であって、
さらに、予め規定されたｎ種類の同期信号に所定のデータの並びによって番号パターンを割り当てる手段と、前記割り当て手段によって割り当てられた番号パターンのセクタ内における当フレームの位置を求める手段と、規定にある番号パターンであるか判定する検出判定手段と、前記検出判定手段の判定結果に従って連続期間以上検出されたかを判定する連続検出判定手段と、連続検出されたときにセクタ内における当フレームの位置を決定する手段と、を具備したことを特徴とするディスク再生装置。
【請求項６】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからの信号を変調則に従って復調する復調手段と、該復調データを一時的に記憶する記憶手段と、該一時的に記憶されたデータに対し誤り訂正を行う誤り訂正手段を少なくとも有するディスク再生装置であって、
さらに、予め規定されたｎ種類の同期信号に所定のデータの並びによって番号パターンを割り当てる手段と、前記割り当て手段によって割り当てられた番号パターンのセクタ内における当フレームの位置を求める手段と、規定にある番号パターンであるか判定する検出判定手段と、前記検出判定手段の判定結果に従って連続期間以上検出されたかを判定する連続検出判定手段と、連続期間以上検出されないかを判定する連続非検出判定手段と、前記連続非検出判定手段の判定結果に従ってセクタ内における当フレームの位置を決定する手段と、を有することを特徴とするディスク再生装置。
【請求項７】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからの信号を変調則に従って復調する復調手段と、該復調データを一時的に記憶する記憶手段と、該一時的に記憶されたデータに対し誤り訂正を行う誤り訂正手段を少なくとも有するディスク再生装置であって、
さらに、識別アドレスに付加された誤り訂正符号により識別アドレスに誤りが含まれるか判定する手段と、誤りが含まれないか判定する手段と、前記識別アドレスに付加された誤り訂正符号により識別アドレスを訂正する手段を有することを特徴とするディスク再生装置。
【請求項８】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからの信号を変調則に従って復調する復調手段と、該復調データに対し誤り訂正を行う誤り訂正手段を少なくとも有するディスク再生装置であって、
さらに、前記フレームの位置に従って識別アドレスを検出し誤り訂正コードにより誤りを含むか判定する判定手段と、前記判定手段に従って識別アドレスに誤りを含まない場合を検出する検出判定手段と、検出判定手段の判定結果に従って設定期間以上連続して検出判定手段の判定結果が検出であるか判定する手段と、前記判定手段に従って識別アドレスに誤りを含む場合を非検出とする非検出判定手段と、非検出判定手段の判定結果に従って設定期間以上連続して非検出判定手段の判定結果が非検出であるか判定する手段を具備したことを特徴とするディスク再生装置。
【請求項９】
請求項１記載ディスク再生装置において、ブロック先頭を検出する手段は、識別アドレスを検出するタイミングを生成する手段と、前記生成手段で発生したタイミングに従って識別アドレスを取込む手段と、識別アドレスに誤りが含まれるか判定する手段と、前記取込んだ識別アドレスが誤り無し且つブロック先頭であるか判定する手段と、ブロック先頭が予め設定した期間検出されないかを判定する手段を具備し、さらに、前記判定手段によって検出されない期間は設定期間以下であると判定された場合セクタの先頭検出をもってブロック先頭とする手段を具備したことを特徴とするディスク再生装置。
【請求項１０】
データをｈ（ｈ：ｈ自然数）バイト単位に区切り識別アドレスを付加し、誤り訂正符号を付加してブロックを構成し、ｉ（ｉ：自然数）バイト単位のデータの分割し、同期信号を付加して構成されたフレーム、データが変調されて間欠的に記録されているディスクから信号を検出する手段と、検出された信号より同期信号を検出する手段と、変調則に従った復調手段と、復調されたデータを一時的に蓄える記憶手段と、前記の一時的に蓄えられたデータに対し誤り訂正する手段と、誤り訂正されたデータを出力する手段を有するディスク再生装置であって、
さらに、検出された同期信号からブロック先頭を検出する手段を具備し、前記ブロック先頭検出手段は、識別アドレスを検出するタイミングを生成する手段と前記生成手段で発生したタイミングに従って識別アドレスを取込む手段と、識別アドレスに誤りが含まれるか判定する手段と、前記取込んだ識別アドレスが誤り無し且つブロック先頭であるか判定する手段と、ブロック先頭が予め設定した期間検出されないかを判定する手段を具備し、識別アドレスに誤りがあるか判定する手段の判定結果を無効とする手段を具備することを特徴とするディスク再生装置。
【請求項１１】
データをｈ（ｈ：自然数）バイト単位に区切り識別アドレスを付加しセクタを構成し、複数のセクタを集めてマトリックスをなし、行方向のデータに第２の誤り訂正符号を付加し、次に列方向のデータとに第２の誤り訂正符号に対し、第１の誤り訂正符号を付加してブロックを構成し、列単位のデータに同期信号を付加して構成されるフレームデータが変調されて記録されているディスクから信号を検出する手段と、検出された信号より同期信号を検出する手段と、変調則に従った復調手段と、復調されたデータを一時的に蓄える記憶手段と、前記の一時的に蓄えられたデータに対し誤り訂正を行い前記記憶手段に再度書き直す手段と、前記記憶手段から誤り訂正されたデータを出力する手段を有するディスク再生装置であって、
前記一時記憶手段は、データとデータに付加された第１の誤り訂正符号を記憶するｎ（ｎ：自然数）ブロック分のエリアと、前記データエリアに記憶されるデータに付加される第２の訂正符号と第２の訂正符号に付加された第１の訂正符号を記憶するｎブロック分より少なくかつ３ブロック分より多いエリアを有することを特徴とするディスク再生装置。
【請求項１２】
データをｈ（ｈ：自然数）バイト単位に区切り識別アドレスを付加しセクタを構成し、複数のセクタを集めてマトリックスをなし、行方向のデータに第２の誤り訂正符号を付加し、次に列方向のデータとに第２の誤り訂正符号に対し、第１の誤り訂正符号を付加してブロックを構成し、列単位のデータの同期信号を付加して構成されたフレームデータが変調されて記録されているディスクから信号を検出する手段と、検出された信号より同期信号を検出する手段と、変調則に従った復調手段と、復調されたデータを一時的に蓄える記憶手段と、前記の一時的に蓄えられたデータに対し誤り訂正を行い前記記憶手段に再度書き直す手段と、前記記憶手段から誤り訂正されたデータを出力する手段を有するディスク再生装置であって、
前記一時記憶手段は、データを記憶するｎ（ｎ：自然数）ブロック分のエリアと、前記データエリアに記憶されたデータに付加された第２の訂正符号と第１の訂正符号を記憶するｎブロック分より少なくかつ３ブロック分より多いエリアを有することを特徴とするディスク再生装置。
【請求項１３】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクから信号を検出する信号検出手段と、
検出された信号より同期信号を同期信号検出する手段と、
変調則に従った復調手段と、
復調されたデータを一時的に蓄える記憶手段と、
該一時的に蓄えられたデータに対し誤り訂正する誤り訂正手段と、
誤り訂正されたデータを出力する手段と、
検出された同期信号からブロック先頭を検出するブロック先頭検出手段と、
該ブロック先頭検出から誤り訂正開始信号を生成する開始信号生成手段と、を備え、
前記誤り訂正手段は、クリスタルの出力に基づいたクロックで誤り訂正処理を行なうことを特徴とするディスク再生装置。
【請求項１４】
データをｈ（ｈ：自然数）バイト単位に区切り識別アドレスを付加し、誤り訂正符号を付加してブロックを構成し、ｉ（ｉ：自然数）バイト単位のデータに分割し、同期信号を付加して構成されたフレームデータが変調されて記録されているディスクからデータを再生するピックアップと、
再生されたデータから第１のクロックを再生するＰＬＬと、
クリスタルの出力から第２のクロックを生成する水晶発振器と、
再生されたデータを一時的に蓄える記憶手段と、
前記第２のクロックに基づいて前記記憶手段に蓄えられたデータに対し誤り訂正処理を行なう誤り訂正手段と、
を具備することを特徴とするディスク再生装置。